(57)【特許請求の範囲】
【請求項１】
下記を具備する無線通信のための方法、
中継通信ネットワークにおいて、第１の深度の少なくとも１つの第１の局から、第１の時間間隔において、少なくとも１つのデータパケットの少なくとも１つのデータ送信を受信することであって、前記少なくとも１つのデータ送信は、前記少なくとも１つの第１の局によってブロードキャストされ、および前記第１の深度よりも大きい第２の深度の第２の局によって受信される、ことと、
前記第１の深度の前記少なくとも１つの第１の局からの前記少なくとも１つのデータパケットをリカバーするために、前記受信された少なくとも１つのデータ送信を復号することと、
前記第１の深度の前記少なくとも１つの第１の局から受信された、前記少なくとも１つのデータ送信からリカバーされた前記少なくとも１つのデータパケットを備える、前記第２の局のデータ送信を生成することと、ここにおいて前記第２の局の前記データ送信における前記少なくとも１つのデータパケットは、前記少なくとも１つの第１の局から受信された前記少なくとも１つのデータ送信における前記少なくとも１つのデータパケットと一致する、
前記第２の深度の前記第２の局から、第２の時間間隔において、前記データ送信をブロードキャストすること、ここにおいて前記第２の深度の少なくとも１つの他の局は、前記第２の時間間隔において、前記少なくとも１つのデータパケットを備える少なくとも１つの他のデータ送信をブロードキャストする。
【請求項２】
データパケットが、前記中継ネットワークにおいて、パイプラインで送信され、データパケットのデータ送信は、連続する時間間隔において、累進的により大きい深度の局によって送られる、請求項１に記載の方法。
【請求項３】
前記データ送信を前記生成することは、
前記第１の深度の前記少なくとも１つの第１の局からのデータパケットをリカバーするために、前記少なくとも１つのデータ送信を処理することと、
前記少なくとも１つのリカバーされたデータパケットに基づいて、前記第２の深度の前記第２の局の前記データ送信を生成することと
を備える、請求項１に記載の方法。
【請求項４】
前記中継ネットワークは、前記第１および第２の深度を含む複数の深度を含み、深度ｄの局は、深度ｄ−１の局からのデータ送信の復号には成功することが可能であるが、ｄ−２またはそれよりも小さい深度の局からのデータ送信はそうではない、請求項１に記載の方法。
【請求項５】
少なくとも１つの深度の各々の局から受信されたデータ送信を復号することと、
復号結果に基づいて、前記第２の局の前記第２の深度を決定することと
をさらに含む、請求項１に記載の方法。
【請求項６】
深度ｄの局から受信されたデータ送信を復号することであって、ｄは、最初、最小深度に等しい、ことと、
前記深度ｄの局からのデータ送信が復号に失敗した場合には、次により大きい深度ｄ＋１の局から受信されたデータ送信を復号することと、
前記深度ｄの局からのデータ送信が復号に成功した場合には、前記第２の局の前記第２の深度を深度ｄ＋１に設定することと
をさらに含む、請求項１に記載の方法。
【請求項７】
前記第１の深度の少なくとも１つの第１の局から第１のパイロットを受信することと、
前記第２の深度の前記第２の局から第２のパイロットを送信することであって、各深度の局は、同一のパイロットを送信し、異なる深度の局は、異なるパイロットを送信する、ことと
をさらに含む、請求項１に記載の方法。
【請求項８】
下記を備える無線通信のための装置、
中継通信ネットワークにおいて、第１の深度の少なくとも１つの第１の局から、第１の時間間隔において、少なくとも１つのデータパケットの少なくとも１つのデータ送信を受信するように構成され、前記少なくとも１つのデータ送信は、前記少なくとも１つの第１の局によってブロードキャストされ、および前記第１の深度よりも大きい第２の深度の第２の局によって受信される、
前記第１の深度の前記少なくとも１つの第１の局からの前記少なくとも１つのデータパケットをリカバーするために、前記受信された少なくとも１つのデータ送信を復号するように構成され、
前記第１の深度の前記少なくとも１つの第１の局から受信された、前記少なくとも１つのデータ送信からリカバーされた前記少なくとも１つのデータパケットを備える、前記第２の局のデータ送信を生成するように構成され、
前記第２の深度の前記第２の局から、第２の時間間隔において、前記データ送信をブロードキャストするように構成される、少なくとも１つのプロセッサ
ここにおいて前記第２の局の前記データ送信における前記少なくとも１つのデータパケットは、前記少なくとも１つの第１の局から受信された前記少なくとも１つのデータ送信における前記少なくとも１つのデータパケットと一致し、ここにおいて前記第２の深度の少なくとも１つの他の局は、前記第２の時間間隔において、前記少なくとも１つのデータパケットを備える少なくとも１つの他のデータ送信をブロードキャストする。
【請求項９】
前記少なくとも１つのプロセッサが、
深度ｄの局から受信されたデータ送信を復号するように、ただし、ｄは、最初、最小深度に等しく、
前記深度ｄの局からのデータ送信が復号に失敗した場合には、次により大きい深度ｄ＋１の局から受信された送信を復号するように、
前記深度ｄの局からのデータ送信が復号に成功した場合には、前記第２の局の前記第２の深度を深度ｄ＋１に設定するように
構成されている、請求項８に記載の装置。
【請求項１０】
前記少なくとも１つのプロセッサが、前記第１の深度の少なくとも１つの第１の局から、第１のパイロットを受信するように、かつ、前記第２の深度の前記第２の局から、第２のパイロットを送信するように、構成され、各深度の局は、同一のパイロットを送信し、異なる深度の局は、異なるパイロットを送信する、請求項８に記載の装置。
【請求項１１】
下記を具備する無線通信のための装置、
中継通信ネットワークにおいて、第１の深度の少なくとも１つの第１の局から、第１の時間間隔において、少なくとも１つのデータパケットの少なくとも１つのデータ送信を受信するための手段であって、前記少なくとも１つのデータ送信は、前記少なくとも１つの第１の局によってブロードキャストされ、および前記第１の深度よりも大きい第２の深度の第２の局によって受信される、手段と、
前記第１の深度の前記少なくとも１つの第１の局からの前記少なくとも１つのデータパケットをリカバーするために、前記受信された少なくとも１つのデータ送信を復号するための手段と、
前記第１の深度の前記少なくとも１つの第１の局から受信された、前記少なくとも１つのデータ送信からリカバーされた前記少なくとも１つのデータパケットを備える、前記第２の局のデータ送信を生成するための手段と、ここにおいて前記第２の局の前記データ送信における前記少なくとも１つのデータパケットは、前記少なくとも１つの第１の局から受信された前記少なくとも１つのデータ送信における前記少なくとも１つのデータパケットと一致する、
前記第２の深度の前記第２の局から、第２の時間間隔において、前記データ送信をブロードキャストするための手段、ここにおいて前記第２の深度の少なくとも１つの他の局は、前記第２の時間間隔において、前記少なくとも１つのデータパケットを備える少なくとも１つの他のデータ送信をブロードキャストする。
【請求項１２】
深度ｄの局から受信されたデータ送信を復号するための手段であって、ｄは、最初、最小深度に等しい、手段と、
前記深度ｄの局からのデータ送信が復号に失敗した場合には、次により大きい深度ｄ＋１の局から受信されたデータ送信を復号するための手段と、
前記深度ｄの局からのデータ送信が復号に成功した場合には、前記第２の局の前記第２の深度を深度ｄ＋１に設定するための手段と
をさらに含む、請求項１１に記載の装置。
【請求項１３】
前記第１の深度の少なくとも１つの第１の局から、第１のパイロットを受信するための手段と、
前記第２の深度の前記第２の局から、第２のパイロットを送信するための手段であって、各深度の局は、同一のパイロットを送信し、異なる深度の局は、異なるパイロットを送信する、手段と
をさらに含む、請求項１１に記載の装置。
【請求項１４】
下記を記憶しているコンピュータ可読記憶媒体、
中継通信ネットワークにおいて、第１の深度の少なくとも１つの第１の局から、第１の時間間隔において、少なくとも１つのデータパケットの少なくとも１つのデータ送信を受信するように、少なくとも１つのコンピュータにさせるためのコードであって、前記少なくとも１つのデータ送信は、前記少なくとも１つの第１の局によってブロードキャストされ、および前記第１の深度よりも大きい第２の深度の第２の局によって受信される、コードと、
前記第１の深度の前記少なくとも１つの第１の局からの前記少なくとも１つのデータパケットをリカバーするために、前記受信された少なくとも１つのデータ送信を復号するように、前記少なくとも１つのコンピュータにさせるためのコードと、
前記第１の深度の前記少なくとも１つの第１の局から受信された、前記少なくとも１つのデータ送信からリカバーされた前記少なくとも１つのデータパケットを備える、前記第２の局のデータ送信を生成するように、前記少なくとも１つのコンピュータにさせるためのコードと、ここにおいて前記第２の局の前記データ送信における前記少なくとも１つのデータパケットは、前記少なくとも１つの第１の局から受信された前記少なくとも１つのデータ送信における前記少なくとも１つのデータパケットと一致する、
前記第２の深度の前記第２の局から、第２の時間間隔において、前記データ送信をブロードキャストするように、前記少なくとも１つのコンピュータにさせるためのコード、ここにおいて前記第２の深度の少なくとも１つの他の局は、前記第２の時間間隔において、前記少なくとも１つのデータパケットを備える少なくとも１つの他のデータ送信をブロードキャストする。
【請求項１５】
下記を具備する無線通信のための方法、
中継通信ネットワークにおいて、第１の深度の第１の局から、第１のフレームにおいて、パケットの第１の送信を受信することと、
前記第１の深度よりも大きい第２の深度の第２の局から、第２のフレームにおいて、前記パケットの第２の送信を送ることであって、前記第２のフレームは、前記第１のフレームと重複せず、ここにおいて前記第１の深度の前記第１の局は、前記第２のフレームにおいて、前記パケットの前記第１の送信を再送し、ここにおいて第３の深度の第３の局は、前記第２のフレームにおいて、前記第１の局からの前記パケットの前記第１の送信と、前記第２の局からの前記パケットの前記第２の送信の両方を受信し、かつ前記パケットをリカバーするために前記パケットの前記第１および第２の送信を復号する、こと。
【請求項１６】
前記中継ネットワークにおける最大深度の局は、前記第１および第２のフレームの両方において、パケットのデータ送信を受信する、請求項１５に記載の方法。
【請求項１７】
前記中継ネットワークは、前記第１および第２の深度を含む複数の深度を含み、奇数の深度の局は、前記第１のフレームにおいてデータ送信を受信し、前記第２のフレームにおいてデータ送信を送り、偶数の深度の局は、前記第２のフレームにおいてデータ送信を受信し、前記第１のフレームにおいてデータ送信を送る、請求項１５に記載の方法。
【請求項１８】
前記第１の深度の第１の局のセットは、前記第１のフレームにおいてデータ送信を送り、前記第２のフレームにおいてデータ送信を受信し、前記第１の深度の第２の局のセットは、前記第２のフレームにおいてデータ送信を送り、前記第１のフレームにおいてデータ送信を受信する、請求項１５に記載の方法。
【請求項１９】
前記第２の深度の前記局は、偶数ナンバーのフレームにおいてデータ送信を受信し、および奇数ナンバーのフレームにおいてデータ送信を送る、請求項１５に記載の方法。
【請求項２０】
下記を具備する無線通信のための装置、
中継通信ネットワークにおいて、第１の深度の第１の局から、第１のフレームにおいて、パケットの第１の送信を受信するように、かつ、前記第１の深度よりも大きい第２の深度の第２の局から、第２のフレームにおいて、前記パケットの第２の送信を送るように、構成された、少なくとも１つのプロセッサであって、前記第２のフレームは、前記第１のフレームと重複せず、ここにおいて前記第１の深度の前記第１の局は、前記第２のフレームにおいて、前記パケットの前記第１の送信を再送し、ここにおいて第３の深度の第３の局は、前記第２のフレームにおいて、前記第１の局からの前記パケットの前記第１の送信と、前記第２の局からの前記パケットの前記第２の送信の両方を受信し、かつ前記パケットをリカバーするために前記パケットの前記第１および第２の送信を復号する、少なくとも１つのプロセッサ。
【請求項２１】
前記中継ネットワークにおける最大深度の局は、前記第１および第２のフレームの両方において、パケットのデータ送信を受信する、請求項２０に記載の装置。
【請求項２２】
前記中継ネットワークは、前記第１および第２の深度を含む複数の深度を含み、奇数の深度の局は、前記第１のフレームにおいてデータ送信を受信し、前記第２のフレームにおいてデータ送信を送り、偶数の深度の局は、前記第２のフレームにおいてデータ送信を受信し、前記第１のフレームにおいてデータ送信を送る、請求項２０に記載の装置。
【請求項２３】
前記第１の深度の第１の局のセットは、前記第１のフレームにおいてデータ送信を送り、前記第２のフレームにおいてデータ送信を受信し、前記第１の深度の第２の局のセットは、前記第２のフレームにおいてデータ送信を送り、前記第１のフレームにおいてデータ送信を受信する、請求項２０に記載の装置。
【請求項２４】
下記を具備する無線通信のための装置、
中継通信ネットワークにおいて、第１の深度の第１の局から、第１のフレームにおいて、パケットの第１の送信を受信するための手段と、
前記第１の深度よりも大きい第２の深度の第２の局から、第２のフレームにおいて、前記パケットの第２の送信を送るための手段であって、前記第２のフレームは、前記第１のフレームと重複せず、ここにおいて前記第１の深度の前記第１の局は、前記第２のフレームにおいて、前記パケットの前記第１の送信を再送し、ここにおいて第３の深度の第３の局は、前記第２のフレームにおいて、前記第１の局からの前記パケットの前記第１の送信と、前記第２の局からの前記パケットの前記第２の送信の両方を受信し、かつ前記パケットをリカバーするために前記パケットの前記第１および第２の送信を復号する、手段。
【請求項２５】
前記中継ネットワークにおける最大深度の局は、前記第１および第２のフレームの両方において、パケットのデータ送信を受信する、請求項２４に記載の装置。
【請求項２６】
前記中継ネットワークは、前記第１および第２の深度を含む複数の深度を含み、奇数の深度の局は、前記第１のフレームにおいてデータ送信を受信し、前記第２のフレームにおいてデータ送信を送り、偶数の深度の局は、前記第２のフレームにおいてデータ送信を受信し、前記第１のフレームにおいてデータ送信を送る、請求項２４に記載の装置。
【請求項２７】
前記第１の深度の第１の局のセットは、前記第１のフレームにおいてデータ送信を送り、前記第２のフレームにおいてデータ送信を受信し、前記第１の深度の第２の局のセットは、前記第２のフレームにおいてデータ送信を送り、前記第１のフレームにおいてデータ送信を受信する、請求項２４に記載の装置。
【請求項２８】
下記を記憶しているコンピュータ可読記憶媒体、
中継通信ネットワークにおいて、第１の深度の第１の局から、第１のフレームにおいて、パケットの第１の送信を受信するように、少なくとも１つのコンピュータにさせるためのコードと、
前記第１の深度よりも大きい第２の深度の第２の局から、第２のフレームにおいて、前記パケットの第２の送信を送るように、前記少なくとも１つのコンピュータにさせるためのコードであって、前記第２のフレームは、前記第１のフレームと重複せず、ここにおいて前記第１の深度の前記第１の局は、前記第２のフレームにおいて、前記パケットの前記第１の送信を再送し、ここにおいて第３の深度の第３の局は、前記第２のフレームにおいて、前記第１の局からの前記パケットの前記第１の送信と、前記第２の局からの前記パケットの前記第２の送信の両方を受信し、かつ前記パケットをリカバーするために前記パケットの前記第１および第２の送信を復号する、コード。
【発明の詳細な説明】
【技術分野】
【０００１】
本開示は、概して通信に関し、より詳細には、無線通信ネットワークにおいてデータを送受信するための技術に関する。
【背景技術】
【０００２】
無線通信ネットワークは、データを送受信することができる多数の局を含むことができる。所与の局のカバレッジが、所望のカバレッジエリアよりも小さくなる場合がある。小さいカバレッジは、低い最大送信パワー、スペクトルマスクの制約、高周波スペクトル、等のさまざまな理由による場合がある。
【０００３】
多数の局が、所与の地理的エリアをカバーするために使用されることができる。これらの局は、バックホール（backhaul）ネットワークを介して多数の局を相互接続するのには費用がかかりうるため、無線で互いに通信可能であるべきである。これらの局は、送信を「増幅および転送する（amplify and forward）」ことができる計画されていない（unplanned）中継器として、動作することができる。しかしながら、計画されていない中継器は、ポジティブフィードバックループ（positive feedback loops）という結果になる場合もあるし、また、雑音を増幅する場合もある。局は、また、協同せずに送信を「復号および転送する（decode and forward）」可能性がある冗長性増加（ＩＲ：incremental redundancy）局として動作する場合もある。しかしながら、ＩＲ局は、衝突を最小化し、かつ、干渉を管理するために、キャリアセンシング（carrier sensing）および／またはルートプラニング（route planning）を必要としうる。したがって、ＩＲ局は、多数の局がある場合には、非常に非効率的でありうる。広い地理的エリアにわたってデータを効率的に送受信するための技術が、所望される。
【発明の概要】
【０００４】
中継通信ネットワークにおいてデータを送受信するための技術が、ここに説明される。ある態様において、中継ネットワークにおける局は、複数の深度（depth）にグループ化されることができ、各深度の局は、各時間間隔において、同一の送信を送ることができる。複数の深度は、深度０乃至深度Ｄとして表されることができ、ここで、深度０は、最小深度であり、深度Ｄは、最大深度であり、Ｄは、任意の整数値であることができる。深度ｄの局は、深度ｄ−１の局からの送信の復号には成功可能であることができるが、ｄ−２またはそれよりも小さい深度の局からの送信はそうではない。パケットは、中継ネットワークにおいて、パイプラインで伝送されることができる。累進的により大きい深度の局が、連続する時間間隔において、パケットの送信を送ることができる。
【０００５】
別の態様において、各深度の局は、同一の同期信号を送信することができ、異なる深度の局は、異なる同期信号を送信することができる。１つの設計において、異なる深度の同期信号は、異なるパイロットを含むことができ、それらは、異なるスクランブル符号または異なる直交符号によって生成されることも、または、周波数および／または時間において多重化されることもできる。各深度の同期信号は、たとえば、その深度の局を識別するために、局の深度を決定するために、タイミング情報を得るために、局のチャネル推定を導き出すために、使用されることができる。
【０００６】
１つの設計において、局は、中継ネットワークにおける第１の深度の少なくとも１つの局から、第１の時間間隔において、少なくとも１つの送信を受信することができる。また、局は、第１の深度の少なくとも１つの局から、第１の同期信号を受信することもできる。局は、第１の深度よりも大きい第２の深度であることができる。局は、第１の時間間隔の後の第２の時間間隔において送信を送ることができ、また、第２の同期信号を送ることもできる。局は、自動設定を行うことができ、異なる深度の局からの送信の復号を試みることができ、かつ、復号結果に基づいてその深度を決定することができる。
【０００７】
さらに別の態様において、中継ネットワークにおける局は、半二重動作（half-duplex operation）によって、データを伝送することができる。局は、半二重動作により、任意の所与の時に、データの送信のみ、または受信のみ可能であることができる。１つの設計において、偶数深度の局は、第１のフレーム（たとえば、偶数のフレーム）においてパケットの送信を受信することができ、第２のフレーム（たとえば奇数のフレーム）においてパケットの送信を送ることができる。奇数深度の局は、第２のフレームにおいてパケットの送信を受信することができ、第１のフレームにおいてパケットの送信を送ることができる。最小深度０の局は、第１および第２のフレームの両方において、送信を送ることができる。最大深度Ｄの局は、第１および第２のフレームの両方において、送信を受信することができる。
【０００８】
開示のさまざまな態様および特徴が、以下でさらに詳細に説明される。
【図面の簡単な説明】
【０００９】
【図１】中継通信ネットワークを示す図である。
【図２】中継ネットワークの伝送方式を示す図である。
【図３】干渉除去（interference cancellation）を伴うパケットの復号を示す図である。
【図４】異なる深度の局からの送信を使用したパケットの復号を示す図である。
【図５】周期的なブートアップ（boot-up）パケットを伴う伝送方式を示す図である。
【図６】半二重局の伝送方式を示す図である。
【図７】３つの局によるパケット伝送を示す図である。
【図８】中継ネットワークにおいてデータを伝送するためのプロセスを示す図である。
【図９】中継ネットワークにおいてデータを伝送するための装置を示す図である。
【図１０】中継ネットワークにおいて同期信号を送るためのプロセスを示す図である。
【図１１】中継ネットワークにおいて同期信号を送るための装置を示す図である。
【図１２】半二重動作によってデータを伝送するためのプロセスを示す図である。
【図１３】半二重動作によってデータを伝送するための装置を示す図である。
【図１４】中継ネットワークにおける２つの局のブロック図である。
【詳細な説明】
【００１０】
ここに説明される技術は、任意の数の局を有する中継通信ネットワークに使用されることができる。「ネットワーク」および「システム」という用語は、しばしば互換的に使用される。中継ネットワークは、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、等を利用することができる。中継ネットワークは、また、（ｉ）ＣＤＭＡでは、ユニバーサル地上無線接続（ＵＴＲＡ：Universal Terrestrial Radio Access）またはｃｄｍａ２０００，（ｉｉ）ＴＤＭＡでは、移動通信のためのグローバルシステム（ＧＳＭ（登録商標）：Global System for Mobile Communications），（ｉｉｉ）ＯＦＤＭＡでは、エボルブドＵＴＲＡ（Ｅ−ＵＴＲＡ）、ロングタームエボリューション（ＬＴＥ）、ウルトラモバイルブロードバンド（ＵＭＢ），またはフラッシュ−ＯＦＤＭ（登録商標），（ｖｉ）無線ローカルエリアネットワーク（ＷＬＡＮ）では、ＩＥＥＥ８０２．１１またはハイパーラン（Hiperlan），（ｖ）無線メトロポリタンエリアネットワーク（ＷＭＡＮ：wireless metropolitan area network）では、ＩＥＥＥ８０２．１６等といった無線技術を実装することもできる。この技術は、他の多元接続方式および／または他の無線技術とともに利用されることもできる。この技術は、特定の局へのユニキャスト伝送、局のグループへのマルチキャスト伝送、および／または、すべての局へのブロードキャスト伝送をサポートする通信ネットワークに使用されることができる。
【００１１】
図１は、中継通信ネットワーク１００を示し、それは、ピアツーピアネットワーク、ブロードキャストネットワーク、分散型ブロードキャストネットワーク、メッシュネットワーク、等とも呼ばれることができる。中継ネットワーク１００は、任意の数の局１１０を含むことができ、これらは、ノードと呼ばれることもできる。局は、基地局、端末、等であってもよい。基地局は、端末と通信する固定局であることもでき、アクセスポイント、ノードＢ、エボルブドノードＢ（ｅＮＢ）、等と呼ばれることもできる。端末は、固定または可動であることができ、アクセス端末、移動局、ユーザー機器、加入者ユニット、局、等と呼ばれることもできる。端末は、携帯電話、携帯情報端末（ＰＤＡ）、無線モデム、無線通信デバイス、ハンドへルドデバイス、ラップトップコンピュータ、コードレス電話、無線ローカルループ（ＷＬＬ）局、等であることができる。端末は、基地局と通信することができ、および／または、他の端末とピアツーピアすることができる。
【００１２】
中継ネットワーク１００において、局は、ソース局、中継局、または、あて先局であることができる。ソース局は、データの送信を発する局である。中継局は、１つ以上のアップストリーム局から送信を受信し、１つ以上のダウンストリーム局にその送信を再送する局である。あて先局は、１つ以上の他の局から送信を受信し、その送信を再送しない局である。アップストリーム局は、送信がそこから受信される局であり、ダウンストリーム局は、送信がそこに送られる局である。
【００１３】
１つの設計において、中継ネットワークにおける局は、深度に基づいてグループ化されることができる。深度は、また、層（tier）、レベル、等と呼ばれることもできる。グループ化は、あらかじめ計画する必要なく、分散的および場当たり的に行われることができる。ソース局は、最小深度０であり、深度−０局またはノードと呼ばれる。ソース局からの送信を正しく復号することができる局は、深度１であり、深度−１局と呼ばれる。一般に、深度−ｄ局からの送信を正しく復号することができる局は、深度ｄ＋１であり、深度−（ｄ＋１）局と呼ばれ、ｄ≧０である。図１に示された例において、局Ａは、ソース／深度−０局であり、局Ｂ、Ｅ、Ｆ、およびＧは、深度−１局であり、局Ｃ、Ｄ、Ｈ、Ｉ、およびＪは、深度−２局である。一般に、中継ネットワークは、深度０乃至Ｄを含むことができ、深度０は最小深度であり、深度Ｄは最大深度であり、Ｄは整数値である。
【００１４】
ある態様において、中継ネットワークは、パイプラインでのパケット伝送をサポートすることができる。パケットは、連続する時間間隔において、異なる深度の局によって送信されることができる。さらに、同一深度のすべての局は、同じ時間にパケットを送信することができる。
【００１５】
図２は、中継ネットワークの伝送方式２００の設計を示す。伝送の時系列チャートは、フレーム単位に区切られることができる。１つのフレームは、１単位の時間であり、所定の持続時間、たとえば、１ミリ秒（ｍｓ）、等を有することができる。フレームは、また、時間間隔、伝送時間間隔、スロット、サブフレーム、等と呼ばれることもできる。図２に示された例において、局Ａは、ソース／深度−０局であり、局Ｂは、局Ａの範囲内の深度−１局であり、局Ｃは、局Ｂの範囲内の深度−２局である。
【００１６】
フレームｔにおいて、局Ａは、パケット０を送信し、それは、局Ｂによって受信および復号される。フレームｔ＋１において、局Ａは、パケット１を送信し、それは、局Ｂによって受信および復号される。また、局Ｂは、パケット０を送信し、それは、局Ｃによって受信および復号される。フレームｔ＋２において、局Ａは、パケット２を送信し、それは、局Ｂによって受信および復号される。また、局Ｂは、パケット１を送信し、それは、局Ｃによって受信および復号される。また、局Ｃは、次のより大きい深度のダウンストリーム局にパケット０を送信する。
【００１７】
パケット伝送は、各後続フレームにおいて、同様にして起こることができる。各フレームにおいて、深度ｄの局は、深度ｄ−１のアップストリーム局からのパケットを受信および復号することができ、（もしあれば）深度ｄ＋１のダウンストリーム局に、前の復号されたパケットを送信することができる。
【００１８】
図２に示されているように、所与のパケットは、連続したフレームにおいて、累進的により大きい深度の局によって、送信される。たとえば、パケット０は、フレームｔにおいて局Ａによって送信され、次に、フレームｔ＋１において局Ｂによって送信され、次に、フレームｔ＋２において局Ｃによって送信される。最小深度０の局Ａは、各フレームにおいて、新たなパケットを送信することができる。次に大きい深度１の局Ｂは、各フレームにおいて、局Ａからのパケットを受信することができ、さらに、（もしあれば）次に大きい深度２の局Ｃに、前のフレームにおいて受信されたパケットを送信することができる。各フレームにおいて、各局は、アップストリーム局から、パケットを受信することができ、ダウンストリーム局に、前に受信されたパケットを送信することができる。
【００１９】
１つの設計において、所与の深度ｄのすべての局は、同一の波形を有する送信を送ることができる。「送信（transmission）」および「信号（signal）」という用語は、互換的に使用されることができる。深度−ｄ局は、同一フレームにおいて、それらの送信を送ることができる。次により大きい深度ｄ＋１の局は、１つ以上の深度−ｄ局からの送信を受信することができる。送信は、同一の波形を有しているので、深度−（ｄ＋１）局は、マルチパスチャネルにおいて異なる伝搬経路を介して受信された送信と同じように、異なる深度−ｄ局からの送信を処理することができる。深度−（ｄ＋１）局は、深度−ｄ局によって送られたパケットをリカバーするために、すべての深度−ｄ局から受信された送信を処理することができる。中継ネットワークによって達成されるカバレッジは、すべてのアップストリーム局が同一の波形を送信する単一周波数ネットワーク（ＳＦＮ：single frequency network）のそれと同じであることができる。
【００２０】
局は、直交周波数分割多重（ＯＦＤＭ）、シングルキャリア周波数分割多重（ＳＣ−ＦＤＭ）、または、ある他の変調技術を使用して、パケットの送信を生成することができる。ＯＦＤＭシンボルは、（ｉ）Ｋ個の時間領域サンプルを含む有用な部分を得るために、Ｋ個のサブキャリアにマッピングされたＫ個のシンボルのＫ−ポイント逆高速フーリエ変換（ＩＦＦＴ：inverse fast Fourier transform）を行うこと、および（ｉｉ）Ｋ＋Ｃ個のサンプルを含むＯＦＤＭシンボルを得るために、最後のＣ個のサンプルをコピーし、その有用な部分の前にこれらＣ個のサンプルを付加することによって、生成されることができる。ＳＣ−ＦＤＭシンボルは、（ｉ）Ｍ個の周波数領域シンボルを得るために、Ｍ個の時間領域シンボルのＭ−ポイント離散フーリエ変換（ＤＦＴ：discrete Fourier transform）を行うこと、（ｉｉ）Ｋ個のサブキャリアに周波数領域シンボルおよびゼロシンボルをマッピングすること、（ｉｉｉ）Ｋ個の時間領域サンプルを含む有用な部分を得るために、Ｋ個のマッピングされたシンボルのＫ−ポイントＩＦＦＴを行うこと、および（ｉｖ）Ｋ＋Ｃ個のサンプルを含むＳＣ−ＦＤＭシンボルを得るために、その有用な部分の前にＣ個のサンプルのサイクリック・プレフィックス（cyclic prefix）を付加することによって、生成されることができる。ＯＦＤＭおよびＳＣ−ＦＤＭのどちらにおいても、受信局は、サイクリック・プレフィックスを単にディスカードすることによって、１つ以上の局からの送信を含む受信されたＯＦＤＭまたはＳＣ−ＦＤＭシンボルを得ることができ、マルチパスに効果的に対処することができる。ＯＦＤＭおよびＳＣ−ＦＤＭ以外の他の多重化方式も、また、中継ネットワークによって使用されることができる。
【００２１】
ある態様において、中継局は、ダウンストリーム局の干渉除去（ＩＣ：interference cancellation）とともに、アップストリーム局から受信された送信を復号することができる。ダウンストリーム局によって送られた送信は、アップストリーム局からの送信への干渉として作用し、中継局での受信信号品質を低下させうる。中継局は、ダウンストリーム局によって送られた送信の知識を有するので、これらの送信による干渉を推定および除去することができる。
【００２２】
図３は、ダウンストリーム局の干渉除去を伴うパケットの復号の設計を示す。この例において、パケット０は、フレームｔにおいて局Ａによって送信され、局Ｂによって復号され、フレームｔ＋１において再送され、局Ｃによって復号され、フレームｔ＋２において再送される。次のパケット１は、フレームｔ＋１において局Ａによって送信され、局Ｂによって復号され、フレームｔ＋２において再送され、局Ｃによって復号され、フレームｔ＋３において再送される。
【００２３】
次のパケット２は、フレームｔ＋２において局Ａによって送信される。局Ｂは、フレームｔ＋２において、局Ａからのパケット２、ならびに局Ｃからのパケット０を受信する。局Ｂは、局Ｃによって送信されたパケット０による干渉を推定することができる。次に、局Ｂは、干渉除去された信号を得るために、その受信された信号から、推定された干渉を減じることができる。次に、局Ｂは、フレームｔ＋２において局Ａによって送信されたパケット２をリカバーするために、干渉除去された信号を処理することができる。局Ｂは、局Ｃによって送信されるパケットの干渉除去を伴って、局Ａによって送信される各後続パケットを復号することができる。
【００２４】
所与のパケットＸの干渉除去は、さまざまな方法で行われることができる。１つの設計において、深度−ｄ局は、パケットを正しく復号した後に、パケットＸの送信を生成することができる。また、深度−ｄ局は、１つ以上の深度−（ｄ＋１）局のチャネル応答を、深度−（ｄ＋１）局から受信されたパイロットに基づいて、推定することができる。次に、深度−ｄ局は、深度−（ｄ＋１）局の推定された干渉を得るために、推定されたチャネル応答を通じて、パケットＸの送信を渡すことができる。次に、深度−ｄ局は、受信された信号から、推定された干渉を減じることができる。
【００２５】
別の態様において、深度ｄの局は、パケットをリカバーするために、異なる深度のアップストリーム局からの送信を使用することができる。深度−ｄ局は、ｄ個の連続するフレームにおいて、深度０乃至ｄ−１の局からのパケットの送信を受信することができる。深度−ｄ局は、各フレームにおけるパケットの情報を、そのフレームについての受信された信号に基づいて、収集することができる。深度−ｄ局は、次に、パケットについて収集された全情報に基づいて復号を行うことができ、それは、復号の性能を向上させることができる。
【００２６】
１つの設計において、収集された情報は、パケットのコードビットの対数尤度比（ＬＬＲｓ：log likelihood ratios）の形態で、与えられることができる。所与のコードビットのＬＬＲは、コードビットが「０」である確率に対する、コードビットが「１」である確率の比として定義されることができる。ＬＬＲｓは、受信された信号、チャネル推定、干渉推定、等の入手可能な情報に基づき、当該技術で周知の方法で計算されることができる。一般的に、ＬＬＲｓの質は、より少ない雑音および干渉とともに向上し、それらは、復号の性能を向上させることができる。
【００２７】
図４は、異なる深度のアップストリーム局からの送信を使用したパケット復号の設計を示している。この例では、フレームｔにおいて、局Ａが、パケット０の送信を送り、それは、局Ｂによって受信および復号される。局Ｃも、局Ａからのパケット０の送信を受信し、その受信された信号に基づいて、パケット０のＬＬＲｓを計算する。局Ｃは、パケット０をリカバーするためにＬＬＲｓの復号を試みることも、または、これらのＬＬＲｓを単に記憶することもできる。
【００２８】
フレームｔ＋１において、局Ａは、パケット１の送信を送り、局Ｂは、パケット０の送信を送る。局Ｃは、局Ａからのパケット１の送信、ならびに局Ｂからのパケット０の送信を受信する。局Ｃは、その受信された信号に基づいて、パケット０のＬＬＲｓを計算する。局Ｃは、その次に、パケット０をリカバーするために、フレームｔおよびｔ＋１において得られたＬＬＲｓを復号する。局Ｃは、さらに、その受信された信号に基づいて、パケット１のＬＬＲｓを計算することができ、かつ、これらのＬＬＲｓを記憶することができる（図４には示さず）。局Ｃは、同様にして、後続するパケットのＬＬＲｓを計算および復号することができる。
【００２９】
図４は、さらに、干渉除去を伴うＬＬＲの計算の設計も示している。局Ｃは、フレームｔ＋１において、局Ａからのパケット１の送信、ならびに局Ｂからのパケット０の送信を受信する。これらの送信は、局Ｃで互いに干渉する。局Ｃは、パケット０をリカバーするために、フレームｔおよびｔ＋１において得られたＬＬＲｓを復号することができる。１つの設計において、次に、局Ｃは、たとえば、パケットを正しく復号した後にパケット０の送信を生成し、かつ、推定された干渉を得るために局Ｂの推定されたチャネル応答を通して、その送信を渡すことによって、フレームｔ＋１における局Ｂからのパケット０の送信による干渉を推定することができる。局Ｃは、その次に、干渉除去された信号を得るために、フレームｔ＋１において、その受信された信号から推定された干渉を減じることができる。局Ｃは、その次に、フレームｔ＋１において、（受信された信号ではなく）干渉除去された信号に基づいて、パケット１のＬＬＲｓを計算することができる。
【００３０】
図２乃至４に示したように、パケットは、パイプラインで送信されることができ、各局は、あるパケットを１度だけ送信する。中継局は、図３に示すように、ダウンストリーム局によって送られた送信の干渉除去とともに、アップストリーム局から受信された送信を復号することができる。局は、図４に示したように、１つ以上の深度のアップストリーム局について得られたＬＬＲｓに基づいて復号を行うこともでき、かつ、ＬＬＲｓを計算する前に干渉除去を行うこともできる。パイプライン化された送信の有効性は、各中継局によるパケットの正しい復号に依存するので、局は、ダウンストリーム局にパケットの正しい送信を送ることができる。干渉除去の有効性も、また、各局によるパケットの正しい復号に依存するので、局は、復号されたパケットによる干渉を推定および除去することができる。所与の局が誤ってパケットを復号した場合には、局は、パケットの誤った送信を送りうる。この場合、ダウンストリーム局は、パケットを正しく復号することができなくなりうる。干渉除去がパケットの復号に依存するのであれば、パイプラインは、一度パケットが誤って復号されると、ブレークし得る。これは、干渉除去が、パケットが誤って復号されると無効になり得る、次のパケットも、また、無効な干渉除去による、より高い干渉によって、誤って復号され得るからである。
【００３１】
ある態様では、ブートアップパケット（boot-up packet）が、パイプラインを再初期化し、かつ、誤りの伝搬を制限するために、周期的に送られることができる。ブートアップパケットは、指定されたフレームにおいてソース局によってのみ送られるパケットであり、より大きい深度の局は、その指定されたフレームの間は送信しない。ブートアップパケットは、各スーパーフレームの始めに送られることができる。スーパーフレームは、インデックス０乃至Ｔ−１のＴ個のフレームを含むことができ、Ｔは、任意の適切な値であることができる。１つの設計では、各スーパーフレームにおいて、ｄまたはそれよりも大きい深度の局のみが、フレームｄにおいてパケットを送信することができ、０≦ｄ＜Ｔである。この設計は、パケットを正しく復号し、かつ、干渉除去を行うように、ダウンストリーム局にさせることができる。
【００３２】
図５は、周期的なブートアップパケットを伴う伝送方式の設計を示している。この例において、局Ａはソース局であり、局Ｂは深度−１局であり、局Ｃは深度−２局であり、最大深度はＤ＝２である。スーパーフレームは、インデックス０乃至９のＴ＝１０フレームを含む。
【００３３】
フレーム０では、局Ａのみがパケット０を送信し、より大きい深度のすべての他の局はサイレントである。パケット０は、スーパーフレームのブートアップパケットである。フレーム１において、局Ａはパケット１を送信し、局Ｂはパケット０を送信し、局Ｃはサイレントである。フレーム２において、局Ａはパケット２を送信し、局Ｂはパケット１を送信し、局Ｃはパケット０を送信する。局Ａ，Ｂ，およびＣは、すべて、フレーム３乃至６の各々においてパケットを送信する。フレーム７において、局Ａは、スーパーフレームにおける最後のパケット７を送信し、局ＢおよびＣは、それぞれ、パケット６および５を送信する。フレーム８において、局Ｂは、最後のパケット７を送信し、局Ｃは、パケット６を送信する。局Ａは、（図５には示していないが）サイレントであることもでき、または、（図５に示したように）深度−１局として動作し、パケット７を送信することもできる。最後のフレーム９において、局Ｃは最後のパケット７を送信する。局ＡおよびＢは、（図５には示していないが）サイレントであることもでき、または、（図５に示したように）深度−２局として動作し、パケット７を送信することもできる。
【００３４】
次のスーパーフレームにおけるパケット伝送も、同様にして起こる。次のスーパーフレームのフレーム０では、局Ａのみが、次のパケット８を送信し、それは、このスーパーフレームのブートアップパケットであり、より大きい深度のすべての他の局は、サイレントである。パケット伝送は、上述したように、各後続フレームにおいて続く。
【００３５】
図５に示したように、ブートアップパケットは、復号および干渉除去パイプラインを、正しく開始させるようにすることができる。ソース局Ａのみがスーパーフレームの第１のフレーム０においてパケット０を送信するので、深度−１局Ｂは、他の局からの干渉なしにパケット０を正しく復号することができる。フレーム２において、局Ｂは、深度−２局Ｃからのパケット０による干渉を受信しうる。局Ｂは、ソース局Ａからのパケット２を復号する前に、局Ｃからのパケット０による干渉を推定および除去することができる。干渉除去が有効であれば、パケット２の受信信号品質は、局Ｃから何ら送信のない、パケット０の受信信号品質と同等であり得る。
【００３６】
さらに、ソース局Ａのみが第１のフレーム０においてパケット０を送信するので、深度−２局Ｃは、他の局からの干渉なしにパケット０のＬＬＲｓを計算することができる。フレーム１において、局Ｃは、深度−１局Ｂからのパケット０およびソース局Ａからのパケット１の両方を受信し、局Ａからの干渉なしにパケット０のＬＬＲｓを計算することができる。局Ｃは、パケット０をリカバーするために、フレーム０および１の両方で得られたＬＬＲｓを復号することができる。局Ｃは、その次に、局Ｂからのパケット０による干渉を推定することができ、受信された信号から、推定された干渉を減じることができる。局Ｃは、その次に、干渉除去された信号に基づいて、局Ａからのパケット１のＬＬＲｓを計算することができる。干渉除去が有効であれば、フレーム１におけるパケット１の受信信号品質は、フレーム０におけるパケット０の受信信号品質と同等であり得る。復号および干渉除去パイプラインは、このようにして、首尾よく開始されることができ、局Ｂは、フレーム０において送信せず、局Ｃは、各スーパーフレームのフレーム０および１において送信しない。
【００３７】
ブートアップパケットのオーバーヘッドは、スーパーフレーム期間Ｔおよび中継ネットワークにおける最大深度Ｄに依存することができる。より短いスーパーフレームは、パケットの誤った伝送を減少させることができるが、より長いスーパーフレームは、オーバーヘッドを減少させることができる。最大深度Ｄは、所望のカバレッジに依存することができる。
【００３８】
上述された設計において、干渉除去は、完全なパケットの復号に基づいて行われることができる。図３に示したように、中継局（たとえば、局Ｂ）は、中継局によって正しく復号されたパケットに基づいて、ダウンストリーム局（たとえば、局Ｃ）によって送信されたパケットの干渉除去を行うことができる。さらに、図４に示したように、深度−ｄ局（たとえば、局Ｃ）は、深度−（ｄ−２）局（たとえば、局Ａ）からのパケットのＬＬＲ計算の前に、その局によって正しく復号されたパケットの干渉除去を行うことができる。
【００３９】
別の設計において、干渉除去は、パケットを復号せずに行われることができる。局ＢまたはＣは、受信されたシンボルに基づいた変調シンボルの推定を使用することもでき、または、少ないターボイテレーション（Turbo iteration）後のＬＬＲｓを使用することもできる。局ＢまたはＣは、さらに、干渉の減少に役立てるために、空間ヌリング（spatial nulling）のような他の技術を使用することもできる。パケットによる干渉の大半は、パケットを復号しなくても、適切に除去されることができる。
【００４０】
局は、全二重（full-duplex）または半二重動作をサポートすることができる。全二重動作では、局が、図３乃至５において示されたように、同一の時間に、データを同時に送受信することができる。半二重動作では、局は、任意の所与のときに、データの送信のみ、または受信のみが可能である。
【００４１】
ある態様において、データ伝送は、異なる深度の半二重局に異なるフレームにおいて送信させるようにすることにより、サポートされることができる。１つの設計において、偶数深度（たとえば、深度０、２、等）の局は、偶数フレームにおいてパケットを送信することができ、奇数深度（たとえば、深度１、３、等）の局は、奇数フレームにおいてパケットを送信することができる。深度−０局は、データを受信する必要がないため、偶数および奇数フレームの両方において送信することができ、それは、性能を向上させることができる。
【００４２】
図６は、半二重局の伝送方式の設計を示している。この例において、局Ａはソース局であり、局Ｂは深度−１局であり、局Ｄは深度−１または深度−２局であることができる。局Ａ，Ｂ，およびＤは、半二重動作をサポートする。
【００４３】
フレームｔにおいて、局Ａはパケット０を送信し、それは、局Ｂによって受信および復号される。フレームｔ＋１において、局ＡおよびＢの両方は、パケット０を送信し、それは、局Ｄによって受信および復号される。各奇数フレームにおいて、局Ａは、深度−１局として動作し、局Ｂと同一のパケットを送信する。フレームｔ＋２において、局Ａはパケット１を送信し、局Ｄはパケット０を送信する。局Ｂは、パケット０の干渉除去を行い、その次にパケット１を復号する。フレームｔ＋３において、局ＡおよびＢの両方は、パケット１を送信し、それは、局Ｄによって受信および復号される。フレームｔ＋４において、局Ａは、パケット２を送信し、局Ｄは、パケット１を送信する。局Ｂは、パケット１の干渉除去を行い、その次にパケット２を復号する。パケット伝送は、各後続フレームにおいて同様にして起こることができる。
【００４４】
図６において示されているように、局Ｄは、奇数フレーム中にのみ受信することができ、かつ、偶数フレーム中には深度−０局Ａによって送信されたパケットのＬＬＲｓを計算不可能でありうる、深度−２局であることができる。しかしながら、局Ａは、偶数フレームならびに後続の奇数フレームの両方において、各パケットを送信することができる。この場合、局Ｄは、同一フレームにおいて、局ＡおよびＢの両方から各パケットを受信することができる。図６における半二重動作を伴う局Ｄの復号性能は、図４における全二重動作および干渉除去を伴う局Ｃの復号性能と同等であり得る。
【００４５】
１つの設計において、所与の深度の局は、２つのセットに区分されることができる。第１のセットの局は、第１のフレームにおいて送信することができ、第２のフレームにおいて受信することができる。第２のセットの局は、第２のフレームにおいて送信することができ、第１のフレームにおいて受信することができる。第１のフレームは、偶数フレームであることができ、第２のフレームは、奇数フレームであることができ、その逆もまた同じである。たとえば、図６における局ＢおよびＤは、両方とも深度−１局であることができ、局Ｂは、第１のセットに属し、局Ｄは、第２のセットに属する。同一深度の２つのセットの局は、このように、異なるフレームにおいて送受信することができる。これは、あて先局に、偶数および奇数フレームの両方において受信させるようにすることができ、それは、性能を向上させることができる。
【００４６】
ある態様において、異なる深度の局は、異なるパイロットを送信することができ、それは、他の局に、これらの局の深度を決定させるようにすることができる。パイロットは、既知の状態で処理され、かつ、チャネル推定、時間および／または周波数の捕捉、信号強度の測定、局の識別、等のさまざまな目的のために受信局によって使用されることができる、既知のデータである。パイロットは、さらに、基準信号、プリアンブル、トレーニングシーケンス、等と呼ばれることもできる。１つの設計において、符号分割多重（ＣＤＭ）が、パイロットのために使用されることができる。各深度の局は、その深度に割り当てられた、異なるスクランブル符号および／または異なる直交符号によって、それらのパイロットを生成することができる。異なる深度の局は、パイロットのオーバーヘッドを減少させるために、並行して、たとえば、同一の時間および周波数ブロックにおいて、それらのパイロットを送信することができる。
【００４７】
別の設計では、周波数分割多重（ＦＤＭ）が、パイロットのために使用されることができる。異なる深度の局は、異なるサブキャリアのセットでそれらのパイロットを送信することができ、これらのパイロットは、周波数領域において互いに直交することができる。さらに別の設計では、時分割多重（ＴＤＭ）が、パイロットのために使用されることができる。異なる深度の局は、異なるシンボル期間において、それらのパイロットを送信することができ、これらのパイロットは、時間領域において互いに直交することができる。一般に、異なる深度の局のパイロットは、多重化方式のうちの、任意の１つまたは任意の組み合わせを利用することができる。パイロットは、パケットが伝送されるときにはいつでも、および／または、いくつかの別の時間で、指定されたフレームにおいて、各フレームまたは各々の指定されたフレームのうちの指定されたシンボル期間において、送信されることができる。
【００４８】
別の態様において、異なる深度の局は、異なる同期信号を送信することができる。同期信号は、深度情報（たとえば、ネットワークにおける最大許容深度）、局の識別子（ＩＤ）、システム帯域幅、ＦＦＴのサイズ、フレームタイミング、スーパーフレームタイミング、データレート情報、等の関連情報を搬送することができる。同期信号からの関連情報をリカバーすると、受信局は、上述されたさまざまな目的のためのパイロットと同様に、同期信号を使用することができる。同期信号は、同期信号で送るための情報に依存して、パイロットおよび／または他の信号を含むことができる。局は、同期信号および／またはパイロットを送信することができる。
【００４９】
局は、所与の深度の局のチャネル推定を、これらの局から受信されたパイロットおよび／または同期信号に基づいて、導き出すことができる。また、局は、これらの局のチャネル推定を導き出すために、ダウンストリーム局によって送信されたデータ部分の一部を使用することもできる。局は、また、性能を向上させるために、干渉除去を行う前に、反復のチャネル推定を行うこともできる。局は、また、性能を向上させるために、反復のチャネル推定および干渉除去を行うこともできる。
【００５０】
ある態様において、局は、自動設定を行うことができ、手動設定の必要なく、その深度を決定することができる。局は、局が中継ネットワークに追加されたり、その中で動かされたりするときに、自動設定を行うことができる。局は、局に電源が入ったとき、局が１つ以上のパケットを誤って復号したとき、等に、自動設定を行うことができる。
【００５１】
自動設定のために、局は、他の局からのパイロットおよび／または同期信号を受信することができ、それらのパイロットおよび／または同期信号に基づいて、検出された局の深度を決定することができる。局は、最小深度の検出された局からのパケットの復号を試みることができる。パケットの復号に失敗すると、局は、次に大きい深度の局からのパケットの復号を試みることができる。局は、パケットが正しく復号されることができるまで、累進的に大きい深度の検出された局からのパケットの復号を試みることができる。そして、局は、パケットが正しく復号されることができた局の深度よりも１つ大きく、その深度を決定することができる。このように、局が、深度−ｄ局からのパケットは正しく復号することができたが、深度−（ｄ−１）局からのものはそうでない場合には、局は、深度−（ｄ＋１）局となる。
【００５２】
ここに説明される中継ネットワークは、低パワー伝送、より高いキャリア周波数、および／または、より高いデータレートをサポートすることができる。中継ネットワークの性能は、以下の例によって説明されることができる。
【００５３】
図７は、中継ネットワークにおける３つの局のパケット伝送の例を示している。この例において、局Ａはソース局であり、局Ｂは中継局であり、局Ｃはあて先局である。各局は、パワーレベルＰで伝送し、各局の熱雑音は、Ｎ０である。局ＡおよびＢ間のチャネル利得はｇであり、局ＢおよびＣ間のチャネル利得はｈ１であり、局ＡおよびＣ間のチャネル利得はｈ２である。各リンクのキャパシティは、（他のリンクがアクティブでないと仮定すると）、次のように表されることができる：
【数１】
0005425920.tif 000002
【数２】
0005425920.tif 000003
【数３】
0005425920.tif 000004
【００５４】
ここで、ＣＡＢは、局Ａから局Ｃへのリンクのキャパシティであり、
ＣＢＣは、局Ｂから局Ｃへのリンクのキャパシティであり、
ＣＡＣは、局Ａから局Ｃへのリンクのキャパシティである。
【００５５】
全体のデータレートＲは、局Ａが局ＢおよびＣにデータを送信することができるデータレートである。全体のデータレートＲは、局Ｂが局Ａからのパケットを正しく復号するために、ＣＡＢ未満であるべきである。全体のデータレートＲは、また、局Ｃが局ＡおよびＢからのパケットを正しく復号するために、局Ｃへのリンクのキャパシティ未満であるべきである。
【００５６】
局Ｃで受信された信号は、次のように表されることができる：
【数４】
0005425920.tif 000005
【００５７】
ここで、ｒは、局Ｂによって送信された信号であり、
ｓは、局Ａによって送信された信号であり、
ｙは、局Ｃで受信された信号であり、
ｎは、局Ｃでの雑音である。
【００５８】
フレームｔにおいて、信号ｓは、パケット０を搬送することができ、信号ｒは、存在することができない。局Ｃは、受信された信号ｙに基づいて、パケット０のＬＬＲｓを計算することができ、それは、局Ａからのパケット０を搬送する信号ｓのみを含むことができる。フレームｔにおいて受信された相互の情報Ｃｔの量は、次のように表されることができる：
【数５】
0005425920.tif 000006
【００５９】
Ｃｔは、局Ａから局Ｃへのリンクのキャパシティに等しい。 
フレームｔ＋１において、信号ｓは、パケット１を搬送することができ、信号ｒは、パケット０を搬送することができる。受信された信号ｙは、局Ｂからのパケット０を搬送する信号ｒだけでなく、局Ａからのパケット１を搬送する信号ｓを含みうる。局Ｃは、受信された信号ｙに基づいて、局Ｂからの信号ｒにおけるパケット０のＬＬＲｓを計算することができる。しかしながら、信号ｒは、パワーが｜ｈ２｜２・Ｐである信号ｓによって干渉される。フレームｔ＋１において受信された相互の情報Ｃｔ＋１の量は、次のように表されることができる：
【数６】
0005425920.tif 000007
【００６０】
式（６）において示したように、信号ｓに対応する受信された信号コンポーネントは、干渉として作用し、分母において雑音Ｎ０に付加された項｜ｈ２｜２・Ｐによって反映されている。パケット０について受信された相互の全情報Ｃｔｏｔａｌは、次のように表されることができる：
【数７】
0005425920.tif 000008
【００６１】
Ｃｔｏｔａｌは、局Ｃに送信する局ＡおよびＢの両方によって得られたキャパシティに等しく、（｜ｈ１｜２＋｜ｈ２｜２）・Ｐは、局Ｃで受信されたパワーである。局Ｃは、パケット０を、それがＣｔｏｔａｌ未満のデータレートで送られれば、正しく復号することができる。
【００６２】
パケット０を復号した後、局Ｃは、干渉除去された信号を得るために、受信された信号ｙから、パケット０を搬送する信号ｒによる干渉を除去することができる。干渉除去された信号は、局Ａからのパケット１を搬送する信号ｓを主として含むことができる。局Ｃは、その次に、干渉除去された信号に基づいて、パケット１のＬＬＲｓを計算することができる。受信された相互の情報の量は、干渉除去後には、式（５）において示されているとおりであることができる。局Ｃは、パケット１だけでなく、後続のパケットも同様にして復号することができる。
【００６３】
局Ａから局Ｂへのデータレートは、ＣＡＢによって制限される。局ＡおよびＢから局Ｃへのデータレートは、局Ｃで受信された全パワーが、（｜ｈ１｜２＋｜ｈ２｜２）・Ｐであるので、Ｃｔｏｔａｌによって制限される。全体のデータレートＲは、以下のように選択されることができる：
【数８】
0005425920.tif 000009
【００６４】
式（８）における全体のデータレートＲは、局ＡおよびＢの送信機を含むＳＦＮネットワークのキャパシティを達成することができる。
【００６５】
簡潔にするために、全体のデータレートＲは、３つの局Ａ，Ｂ，およびＣによる簡潔なシナリオについて決定されている。全体のデータレートの計算は、任意の数の局および任意の数の深度による中継ネットワークに拡張されることができる。一般に、所与の局によってサポートされるデータレートは、Ｃ＝ｌｏｇ（１＋ＰＲＸ／Ｎ０）未満であることができ、ＰＲＸは、ＳＦＮで動作する検出可能な全アップストリーム局からその局で受信された全パワーである。全体のデータレートは、中継ネットワークにおける全局のサポートデータレートのうちの最小のものであることができる。全体のデータレートは、全局のサポートデータレートのうちの最小のものを超えることもでき、その場合、局の一部は、カバレッジ外となりうる。
【００６６】
図２乃至６において示された伝送方式は、システム帯域幅の全部または一部に使用されることができる。システム帯域幅は、さらに、複数のサブバンドに区切られることができ、異なるデータストリームは、異なるサブバンドで送られることができる。周波数リソースをこのように区切ることは、ユニキャストデータの伝送に有益であることができる。
【００６７】
図８は、中継通信ネットワーク、たとえば、ユニキャスト、マルチキャスト、および／またはブロードキャスト伝送をサポートするネットワークにおいてデータを伝送するためのプロセス８００の設計を示している。プロセス８００は、局によって行われることができ、それは、端末、基地局、等であることができる。局は、中継ネットワークにおいて第１の深度の少なくとも１つの局から第１の時間間隔において少なくとも１つの送信を受信することができる（ブロック８１２）。局は、第１の深度よりも大きい第２の深度であることができる。局は、また、第１の深度の少なくとも１つの局から第１のパイロットを受信することができ（ブロック８１４）、第１のパイロットに基づいて少なくとも１つの局のチャネル推定を導き出すことができる。局は、第１の深度の少なくとも１つの局からのパケットをリカバーするために、チャネル推定とともに少なくとも１つの送信を処理することができる（ブロック８１６）。局は、リカバーされたパケットに基づいて、送信を生成することができる（ブロック８１８）。局は、第１の時間間隔の後の第２の時間間隔において、送信を送ることができる（ブロック８２０）。中継ネットワークにおける各深度の局は、各時間間隔において、同一の送信を送ることができる。局は、第２のパイロットを送信することもできる（ブロック８２２）。各深度の局は、同一のパイロットを送信することができ、異なる深度の局は、異なるパイロットを送信することができる。
【００６８】
中継ネットワークは、複数の深度を含むことができる。深度ｄの局は、深度ｄ−１の局からの送信の復号には成功可能であることができるが、ｄ−２またはそれよりも小さい深度の局からの送信はそうでなく、ｄは、負でない値であることができる。パケットは、中継ネットワークにおいてパイプラインで伝送されることができる。パケットの送信は、連続する時間間隔において、累進的により大きい深度の局によって送られることができる。
【００６９】
局は、その深度を決定するために、自動設定を行うことができる。１つの設計において、局は、少なくとも１つの深度のうちの各々の局から受信された送信を復号することができ、復号結果に基づいてその深度を決定することができる。局は、深度ｄの局から受信された送信を復号することができ、ｄは、最初、最小深度０と同等であることができる。深度ｄの局からの送信が復号に失敗した場合には、局は、次に大きい深度ｄ＋１の局から受信された送信を復号することができる。局は、深度ｄの局からの送信が復号に成功した場合には、その深度を深度ｄ＋１に設定することができる。
【００７０】
図９は、中継通信ネットワークにおいてデータを伝送するための装置９００の設計を示す。装置９００は、中継ネットワークにおいて第１の深度の少なくとも１つの局から第１の時間間隔において少なくとも１つの送信を受信するためのモジュール９１２と、第１の深度の少なくとも１つの局から第１のパイロットを受信するためのモジュール９１４と、第１の深度の少なくとも１つの局からのパケットをリカバーするために第１のパイロットから導き出されたチャネル推定によって少なくとも１つの送信を処理するためのモジュール９１６と、リカバーされたパケットに基づいて送信を生成するためのモジュール９１８と、第１の深度よりも大きい第２の深度の局から第２の時間間隔において送信を送るためのモジュール９２０であって、各深度の局は、同一の送信を送る、モジュール９２０と、第２のパイロットを送信するためのモジュール９２２であって、各深度の局は、同一のパイロットを送信し、異なる深度の局は、異なるパイロットを送信する、モジュール９２２とを含む。
【００７１】
図１０は、中継通信ネットワークにおいて同期信号を送るためのプロセス１０００の設計を示し、それは、ユニキャスト、マルチキャスト、および／またはブロードキャスト伝送をサポートすることができる。プロセス１０００は、局、たとえば、端末または基地局によって行われることができる。局は、中継ネットワークにおいて第１の深度の少なくとも１つの局から第１の同期信号を受信することができる（ブロック１０１２）。局は、第２の深度であることができ、第２の同期信号を送信することができる（ブロック１０１４）。さらに、局は、第３の深度の少なくとも１つの局から第３の同期信号を受信することもできる。一般に、局は、任意の数の深度の局から任意の数の異なる同期信号を受信することができ、各深度の局は、同一の同期信号を送信する。局は、その深度の同期信号に基づいて、各深度の局を識別することができる。
【００７２】
１つの設計において、異なる深度の同期信号は、異なるパイロットを含むことができる。これらの異なるパイロットは、（ｉ）異なるスクランブル符号または異なる直交符号によって生成される、または、（ｉｉ）周波数および／または時間において多重化される、ことができる。局は、各深度の局を識別することができ、局の深度を決定することができ、タイミング情報を得ることができ、および／または、その深度の同期信号に基づいて、局のチャネル推定を導き出すことができる。さらに、局は、第１の深度の少なくとも１つの局から少なくとも１つのパケットの送信を受信することができる。局は、第１の深度の少なくとも１つの局からのパケットをリカバーするために、チャネル推定に基づいて、少なくとも１つの送信を処理することができる。
【００７３】
図１１は、中継通信ネットワークにおいて同期信号を送るための装置１１００の設計を示している。装置１１００は、中継ネットワークにおいて第１の深度の少なくとも１つの局から第１の同期信号を受信するためのモジュール１１１２、および、中継ネットワークにおいて第２の深度の局から第２の同期信号を送信するためのモジュール１１１４を含み、各深度の局は、同一の同期信号を送信する。
【００７４】
図１２は、中継通信ネットワークにおいて半二重動作とともにデータを伝送するためのプロセス１２００の設計を示し、それは、ユニキャスト、マルチキャスト、および／またはブロードキャスト伝送をサポートすることができる。プロセス１２００は、局、たとえば、端末または基地局によって行われることができる。局は、中継ネットワークにおいて、第１の深度の少なくとも１つの局から、第１のフレームにおいてパケットの送信を受信することができる（ブロック１２１２）。局は、第１の深度よりも大きい第２の深度であることができ、第２のフレームにおいてパケットの送信を送ることができ、それは、第１のフレームと非重複であることができる（ブロック１２１４）。第１のフレームは、偶数フレームであることができ、第２のフレームは、奇数フレームであることができ、その逆もまた同じである。
【００７５】
中継ネットワークは、第１および第２の深度を含む複数の深度を含むことができる。１つの設計において、奇数深度の局は、第１のフレームにおいて送信を受信することができ、第２のフレームにおいて送信を送ることができる。偶数深度の局は、第２のフレームにおいて送信を受信することができ、第１のフレームにおいて送信を送ることができる。最小深度の局は、第１および第２のフレームの両方において、送信を送ることができる。最大深度の局は、第１および第２のフレームの両方において、送信を受信することができる。
【００７６】
１つの設計において、第１の深度のすべての局は、第１のフレームにおいて送信を送ることができ、第２のフレームにおいて送信を受信することができる。別の設計において、第１の深度の局は、第１および第２のセットに区分されることができる。第１のセットの局は、第１のフレームにおいて送信を送ることができ、第２のフレームにおいて送信を受信することができる。第２のセットの局は、第２のフレームにおいて送信を送ることができ、第１のフレームにおいて送信を受信することができる。
【００７７】
図１３は、中継通信ネットワークにおいて半二重動作とともにデータを伝送するための装置１３００の設計を示している。装置１３００は、中継ネットワークにおいて第１の深度の少なくとも１つの局から第１のフレームにおいてパケットの送信を受信するためのモジュール１３１２、および、第１の深度よりも大きい第２の深度の局からの第２のフレームにおけるパケットの送信を送るためのモジュール１３１４を含み、第２のフレームは、第１のフレームと重複しない。
【００７８】
図９，１１，および１３におけるモジュールは、プロセッサ、電子デバイス、ハードウェアデバイス、電子コンポーネント、論理回路、メモリ、等、または、それらの任意の組み合わせを含むことができる。
【００７９】
図１４は、２つの局１１０ａおよび１１０ｂの設計のブロック図を示し、それらは、図１における任意の２つの局であることができる。この設計において、局１１０ａは、Ｕ個のアンテナ１４３４ａ乃至１４３４ｕを装備し、局１１０ｂは、Ｖ個のアンテナ１４５２ａ乃至１４５２ｖを装備し、一般に、Ｕ≧１かつＶ≧１である。
【００８０】
局１１０ａで、送信プロセッサ１４２０は、データソース１４１２からデータパケットを、および、制御装置／プロセッサ１４４０から制御情報を、受信することができる。送信プロセッサ１４２０は、パケットおよび制御情報を処理（たとえば、符号化、インターリーブ、および変調）することができ、それぞれ、データシンボルおよび制御シンボルを供給することができる。送信プロセッサ１４２０は、パイロット用のパイロットシンボルおよび／または局１１０ａ用の同期信号を、さらに生成することもできる。送信（ＴＸ）多入力多出力（ＭＩＭＯ）プロセッサ１４３０は、データシンボル、制御シンボル、および／または、パイロットシンボルの空間処理（たとえば、プリコーディング）を行うことができ、該当する場合、Ｕ個の変調器（ＭＯＤｓ）１４３２ａ乃至１４３２ｕにＵ個の出力シンボルストリームを供給することができる。各変調器１４３２は、出力サンプルストリームを得るために、各出力シンボルストリーム（たとえば、ＯＦＤＭ、ＳＣ−ＦＤＭ、ＣＤＭＡ用、等）を処理することができる。各変調器１４３２は、無線周波（ＲＦ）信号を得るために、出力サンプルストリームをさらに処理（たとえば、アナログ変換、増幅、フィルタ、およびアップコンバート）することができる。変調器１４３２ａ乃至１４３２ｕからのＵ個のＲＦ信号は、それぞれ、Ｕ個のアンテナ１４３４ａ乃至１４３４ｕを介して送信されることができる。
【００８１】
局１１０ｂでは、アンテナ１４５２ａ乃至１４５２ｖが、局１１０ａからのＲＦ信号を受信することができ、それぞれ、復調器（ＤＥＭＯＤｓ）１４５４ａ乃至１４５４ｖに、受信された信号を供給することができる。各復調器１４５４は、受信されたサンプルを得るために、各々の受信された信号を、調整（たとえば、フィルタ、増幅、ダウンコンバート、およびデジタル化）することができる。各復調器１４５４は、受信されたシンボルを得るために、（たとえば、ＯＦＤＭ、ＳＣ−ＦＤＭ、ＣＤＭＡ用、等の）受信されたサンプルをさらに処理することができる。ＭＩＭＯ検出器１４５６は、すべてのＶ個の復調器１４５４ａ乃至１４５４ｖからの受信されたシンボルを得ることができ、適宜、受信されたシンボルのＭＩＭＯ検出を行うことができ、検出されたシンボルを供給することができる。受信プロセッサ１４５８は、検出されたシンボルを処理（たとえば、復調、デインターリーブ、および復号）することができ、データシンク１４６０に復号されたパケットを供給することができ、制御装置／プロセッサ１４８０に復号された制御情報を提供することができる。
【００８２】
局１１０ｂでは、データソース１４６２からのデータパケット、および制御装置／プロセッサ１４８０からの制御情報が、送信プロセッサ１４６４によって処理されることができ、適宜、ＴＸ ＭＩＭＯプロセッサ１４６６によってプリコードされることができ、変調器１４５４によってさらに処理されることができ、アンテナ１４５２を介して送信されることができる。局１１０ａでは、局１１０ｂからのＲＦ信号が、アンテナ１４３４によって受信されることができ、復調器１４３２によって処理されることができ、適宜、ＭＩＭＯ検出器１４３６によって検出されることができ、局１１０ｂによって送信された制御情報およびパケットをリカバーするために、受信プロセッサ１４３８によってさらに処理されることができる。
【００８３】
制御装置／プロセッサ１４４０および１４８０は、それぞれ、局１１０ａおよび１１０ｂでの動作を指示することができる。制御装置／プロセッサ１４４０および１４８０は、図８におけるプロセス８００、図１０におけるプロセス１０００、図１２におけるプロセス１２００、および／または、ここに説明された手法のための他のプロセスを、それぞれ実行または指示することができる。メモリ１４４２および１４８２は、それぞれ、局１１０ａおよび１１０ｂのためのデータおよびプログラムコードを記憶することができる。
【００８４】
当業者は、情報および信号が任意のさまざまな異なる技術および手法を使用して表されうるということを、理解するであろう。たとえば、上述した説明を通して言及されうるデータ、命令、コマンド、情報、信号、ビット、シンボル、およびチップは、電圧、電流、電磁波、磁場または磁性粒子、光場または光粒子、または任意のそれらの組み合わせによって表されることができる。
【００８５】
当業者は、ここでの開示に関連して説明された、さまざまな例示的な論理ブロック、モジュール、回路、およびアルゴリズムのステップが、電子ハードウェア、コンピュータソフトウェア、または両者の組み合わせとして実現されうるということを、さらに理解するであろう。ハードウェアとソフトウェアとの、この相互互換性をわかりやすく示すために、さまざまな例示的なコンポーネント、ブロック、モジュール、回路、およびステップが、概してそれらの機能の点で、上述されている。そのような機能がハードウェアまたはソフトウェアとして実現されるかどうかは、システム全体に課された特定の用途および設計の制約による。当業者は、特定の用途ごとに異なる方法で、説明された機能を実現することができるが、そのような実現の決定は、本開示の範囲から逸脱するものと解釈されるべきではない。
【００８６】
ここでの開示に関連して説明された、さまざまな例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、離散ゲートまたはトランジスタ論理、離散ハードウェアコンポーネント、またはここに説明された機能を実行するように設計された、それらの任意の組合せによって、実現または実行されることができる。汎用プロセッサは、マイクロプロセッサであることができるが、あるいは、プロセッサは、任意の従来のプロセッサ、制御装置、マイクロ制御装置、またはステートマシンであることができる。プロセッサは、また、コンピュータデバイスの組み合わせ、例えば、ＤＳＰと、１つのマイクロプロセッサ、複数のマイクロプロセッサ、ＤＳＰコア併用型の１つ以上のマイクロプロセッサとの組み合わせ、または任意の他のそのような構成として実現されることができる。
【００８７】
ここでの開示に関連して説明された方法またはアルゴリズムのステップは、ハードウェアで直接的に、プロセッサによって実行されるソフトウェアモジュールで、または両者の組み合わせで、具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルデスク、ＣＤ−ＲＯＭ、または当該技術で周知の任意の他の形態の記憶媒体の中に存在することができる。例示的な記憶媒体は、プロセッサが記憶媒体から情報を読み出すことができ、かつ、記録媒体に情報を書き込むことができるように、プロセッサに結合される。あるいは、記憶媒体は、プロセッサに統合されることができる。プロセッサおよび記憶媒体は、ＡＳＩＣの中に存在することができる。ＡＳＩＣは、ユーザー端末の中に存在することができる。あるいは、プロセッサおよび記憶媒体は、ユーザー端末における離散コンポーネントとして存在することができる。
【００８８】
１つ以上の例示的な設計において、説明された機能は、ハードウェア、ソフトウェア、ファームウェア、またはそれらの任意の組み合わせにおいて実行されることができる。ソフトウェアにおいて実行される場合、機能は、コンピュータ可読媒体で、１つ以上の命令またはコードとして、記憶または伝送されることができる。コンピュータ可読媒体は、ある場所から別の場所へのコンピュータプログラムの移送を容易にする任意の媒体を含む通信媒体およびコンピュータ記憶媒体の両方を含む。記憶媒体は、汎用または専用コンピュータによってアクセスすることのできる任意の入手可能な媒体であることができる。限定ではなく例として、そのようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置または他の磁気記憶デバイス、または、汎用または専用コンピュータ、または、汎用または専用プロセッサによってアクセスされることができ、かつ、命令またはデータ構造の形態で所望のプログラムコード手段を搬送または記憶するために使用されることができる、任意の他の媒体を含むことができる。また、任意の接続も、厳密にはコンピュータ可読媒体と呼ばれる。たとえば、ソフトウェアが、同軸ケーブル、光ファイバーケーブル、ツイストペア、デジタル加入者回線（ＤＳＬ）、または、赤外線、無線、およびマイクロ波といった無線技術を使用して、ウェブサイト、サーバー、または他のリモートソースから伝送される場合には、同軸ケーブル、光ファイバーケーブル、ツイストペア、ＤＳＬ、または赤外線、無線、およびマイクロ波といった無線技術が、媒体の定義に含まれる。ディスク（disk）およびディスク（disc）は、ここに使用される場合、コンパクトディスク（disc）（ＣＤ）、レーザー（登録商標）ディスク（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は、通常、磁気的にデータを再生する一方、ディスク（disc）は、レーザーによって光学的にデータを再生する。上記したものの組み合わせも、また、コンピュータ可読媒体の範囲内に含まれるべきである。
【００８９】
開示の先の説明は、開示を製造または使用することをいずれの当業者にも可能にさせるように提供されている。開示へのさまざまな変更は、当業者には容易に理解され、ここに定義された一般的な原理は、開示の精神または範囲から逸脱することなく他の変形例に適用されることができる。このように、開示は、ここに説明された例および設計に限定されることを意図しないが、ここに開示された原理および新規な特徴と一致する最も広い範囲が与えられる。
以下に、本願出願の当初の特許請求の範囲に記載された発明を付記する。
［１］中継通信ネットワークにおいて、第１の深度の少なくとも１つの局から、第１の時間間隔において、少なくとも１つの送信を受信することであって、前記少なくとも１つの送信は、前記第１の深度よりも大きい第２の深度の局によって受信される、ことと、
前記局から、第２の時間間隔において、送信を送ることであって、各深度の局は、各時間間隔において、同一の送信を送る、ことと
を含む、無線通信のための方法。
［２］パケットが、前記中継ネットワークにおいて、パイプラインで送信され、パケットの送信は、連続する時間間隔において、累進的により大きい深度の局によって送られる、［１］に記載の方法。
［３］前記第１の深度の少なくとも１つの局からのパケットをリカバーするために、前記少なくとも１つの送信を処理することと、
前記リカバーされたパケットに基づいて、前記局の前記送信を生成することと
をさらに含む、［１］に記載の方法。
［４］前記中継ネットワークは、前記第１および第２の深度を含む複数の深度を含み、深度ｄの局は、深度ｄ−１の局からの送信の復号には成功することが可能であるが、ｄ−２またはそれよりも小さい深度の局からの送信はそうではない、［１］に記載の方法。
［５］少なくとも１つの深度の各々の局から受信された送信を復号することと、
復号結果に基づいて、前記局の前記第２の深度を決定することと
をさらに含む、［１］に記載の方法。
［６］深度ｄの局から受信された送信を復号することであって、ｄは、最初、最小深度に等しい、ことと、
前記深度ｄの局からの送信が復号に失敗した場合には、次により大きい深度ｄ＋１の局から受信された送信を復号することと、
前記深度ｄの局からの送信が復号に成功した場合には、前記局の前記第２の深度を深度ｄ＋１に設定することと
をさらに含む、［１］に記載の方法。
［７］前記第１の深度の少なくとも１つの局から第１のパイロットを受信することと、
前記局から第２のパイロットを送信することであって、各深度の局は、同一のパイロットを送信し、異なる深度の局は、異なるパイロットを送信する、ことと
をさらに含む、［１］に記載の方法。
［８］中継通信ネットワークにおいて、第１の深度の少なくとも１つの局から、第１の時間間隔において、少なくとも１つの送信を受信するように構成され、前記少なくとも１つの送信は、前記第１の深度よりも大きい第２の深度の局によって受信される、少なくとも１つのプロセッサであって、前記局から、第２の時間間隔において、送信を送るように構成され、各深度の局は、各時間間隔において、同一の送信を送る、少なくとも１つのプロセッサ
を含む、無線通信のための装置。
［９］前記少なくとも１つのプロセッサが、
深度ｄの局から受信された送信を復号するように、ただし、ｄは、最初、最小深度に等しく、
前記深度ｄの局からの送信が復号に失敗した場合には、次により大きい深度ｄ＋１の局から受信された送信を復号するように、
前記深度ｄの局からの送信が復号に成功した場合には、前記局の前記第２の深度を深度ｄ＋１に設定するように
構成されている、［８］に記載の装置。
［１０］前記少なくとも１つのプロセッサが、前記第１の深度の少なくとも１つの局から、第１のパイロットを受信するように、かつ、前記局から、第２のパイロットを送信するように、構成され、各深度の局は、同一のパイロットを送信し、異なる深度の局は、異なるパイロットを送信する、［８］に記載の装置。
［１１］中継通信ネットワークにおいて、第１の深度の少なくとも１つの局から、第１の時間間隔において、少なくとも１つの送信を受信するための手段であって、前記少なくとも１つの送信は、前記第１の深度よりも大きい第２の深度の局によって受信される、手段と、
前記局から、第２の時間間隔において、送信を送るための手段であって、各深度の局は、各時間間隔において、同一の送信を送る、手段と
を含む、無線通信のための装置。
［１２］深度ｄの局から受信された送信を復号するための手段であって、ｄは、最初、最小深度に等しい、手段と、
前記深度ｄの局からの送信が復号に失敗した場合には、次により大きい深度ｄ＋１の局から受信された送信を復号するための手段と、
前記深度ｄの局からの送信が復号に成功した場合には、前記局の前記第２の深度を深度ｄ＋１に設定するための手段と
をさらに含む、［１１］に記載の装置。
［１３］前記第１の深度の少なくとも１つの局から、第１のパイロットを受信するための手段と、
前記局から、第２のパイロットを送信するための手段であって、各深度の局は、同一のパイロットを送信し、異なる深度の局は、異なるパイロットを送信する、手段と
をさらに含む、［１１］に記載の装置。
［１４］中継通信ネットワークにおいて、第１の深度の少なくとも１つの局から、第１の時間間隔において、少なくとも１つの送信を受信するように、少なくとも１つのコンピュータにさせるためのコードであって、前記少なくとも１つの送信は、前記第１の深度よりも大きい第２の深度の局によって受信される、コードと、
前記局から、第２の時間間隔において、送信を送るように、前記少なくとも１つのコンピュータにさせるためのコードであって、各深度の局は、各時間間隔において、同一の送信を送る、コードと
を含むコンピュータ可読媒体
を含むコンピュータプログラム製品。
［１５］中継通信ネットワークにおいて、第１の深度の少なくとも１つの局から、第１の同期信号を受信することと、
前記中継ネットワークにおいて、第２の深度の局から、第２の同期信号を送信することであって、各深度の局は、同一の同期信号を送信する、ことと
を含む、無線通信のための方法。
［１６］前記第１および第２の同期信号は、異なるスクランブル符号、または異なる直交符号によって生成された、第１および第２のパイロットをそれぞれ含む、［１５］に記載の方法。
［１７］前記第１および第２の同期信号は、周波数または時間において多重化された、第１および第２のパイロットをそれぞれ含む、［１５］に記載の方法。
［１８］前記第１の同期信号に基づいて、前記第１の深度の少なくとも１つの局のタイミング情報を得ること
をさらに含む、［１５］に記載の方法。
［１９］前記第１の同期信号に基づいて、前記少なくとも１つの局の前記第１の深度を決定すること
をさらに含む、［１５］に記載の方法。
［２０］前記第１の深度の少なくとも１つの局から、少なくとも１つのパケットの送信を受信することと、
前記第１の同期信号に基づいて、前記少なくとも１つの局のチャネル推定を導き出すことと、
前記少なくとも１つの局からの前記パケットをリカバーするために、前記チャネル推定に基づいて、前記少なくとも１つの送信を処理することと
をさらに含む、［１５］に記載の方法。
［２１］前記中継ネットワークにおいて、第３の深度の少なくとも１つの局から、第３の同期信号を受信することと、
前記第１の同期信号に基づいて、前記第１の深度の少なくとも１つの局を識別することと、
前記第３の同期信号に基づいて、前記第３の深度の少なくとも１つの局を識別することと
をさらに含む、［１５］に記載の方法。
［２２］中継通信ネットワークにおいて、第１の深度の少なくとも１つの局から、第１の同期信号を受信するように、かつ、前記中継ネットワークにおいて、第２の深度の局から、第２の同期信号を送信するように、構成された、少なくとも１つのプロセッサであって、各深度の局は、同一の同期信号を送信する、少なくとも１つのプロセッサ
を含む、無線通信のための装置。
［２３］前記第１および第２の同期信号は、異なるスクランブル符号、または異なる直交符号によって生成された、第１および第２のパイロットをそれぞれ含む、［２２］に記載の装置。
［２４］中継通信ネットワークにおいて、第１の深度の少なくとも１つの局から、第１のフレームにおいて、パケットの送信を受信することと、
前記第１の深度よりも大きい第２の深度の局から、第２のフレームにおいて、パケットの送信を送ることであって、前記第２のフレームは、前記第１のフレームと重複せず、前記中継ネットワークにおける最小深度の局は、前記第１および第２のフレームの両方において、パケットの送信を送る、ことと
を含む、無線通信のための方法。
［２５］前記中継ネットワークにおける最大深度の局は、前記第１および第２のフレームの両方において、パケットの送信を受信する、［２４］に記載の方法。
［２６］前記中継ネットワークは、前記第１および第２の深度を含む複数の深度を含み、奇数の深度の局は、前記第１のフレームにおいて送信を受信し、前記第２のフレームにおいて送信を送り、偶数の深度の局は、前記第２のフレームにおいて送信を受信し、前記第１のフレームにおいて送信を送る、［２４］に記載の方法。
［２７］前記第１の深度の第１の局のセットは、前記第１のフレームにおいて送信を送り、前記第２のフレームにおいて送信を受信し、前記第１の深度の第２の局のセットは、前記第２のフレームにおいて送信を送り、前記第１のフレームにおいて送信を受信する、［２４］に記載の方法。
［２８］前記第１のフレームは偶数ナンバーのフレームで、前記第２のフレームは奇数ナンバーのフレームであり、または、その逆である、［２４］に記載の方法。
［２９］中継通信ネットワークにおいて、第１の深度の少なくとも１つの局から、第１のフレームにおいて、パケットの送信を受信するように、かつ、前記第１の深度よりも大きい第２の深度の局から、第２のフレームにおいて、パケットの送信を送るように、構成された、少なくとも１つのプロセッサであって、前記第２のフレームは、前記第１のフレームと重複せず、前記中継ネットワークにおける最小深度の局は、前記第１および第２のフレームの両方において、パケットの送信を送る、少なくとも１つのプロセッサ
を含む、無線通信のための装置。
［３０］前記中継ネットワークにおける最大深度の局は、前記第１および第２のフレームの両方において、パケットの送信を受信する、［２９］に記載の装置。
［３１］前記中継ネットワークは、前記第１および第２の深度を含む複数の深度を含み、奇数の深度の局は、前記第１のフレームにおいて送信を受信し、前記第２のフレームにおいて送信を送り、偶数の深度の局は、前記第２のフレームにおいて送信を受信し、前記第１のフレームにおいて送信を送る、［２９］に記載の装置。
［３２］前記第１の深度の第１の局のセットは、前記第１のフレームにおいて送信を送り、前記第２のフレームにおいて送信を受信し、前記第１の深度の第２の局のセットは、前記第２のフレームにおいて送信を送り、前記第１のフレームにおいて送信を受信する、［２９］に記載の装置。
【図１】
0005425920.tif 000010
【図２】
0005425920.tif 000011
【図３】
0005425920.tif 000012
【図４】
0005425920.tif 000013
【図５】
0005425920.tif 000014
【図６】
0005425920.tif 000015
【図７】
0005425920.tif 000016
【図８】
0005425920.tif 000017
【図９】
0005425920.tif 000018
【図１０】
0005425920.tif 000019
【図１１】
0005425920.tif 000020
【図１２】
0005425920.tif 000021
【図１３】
0005425920.tif 000022
【図１４】
0005425920.tif 000023